(57)【要約】【課題】加熱装置の表示手段に用いられる液晶の個体差による見た目のばらつきを調整し、無駄なく見た目の違和感をなくす方法を提供することを目的とする。【解決手段】本体制御部４が有する加熱条件などの制御パラメータを記憶しておく記憶手段４４に、液晶のコントラストのデフォルト設定値を記憶し、表示制御部３が有する記憶手段３５には、前記デフォルト設定値との差分を記憶する。差分値は通信手段３４によって本体制御部４に送信され、本体制御部４は、記憶手段４４から読み出したデフォルト設定値と、受信した差分値を合算して、液晶のコントラストを制御する。【選択図】図２
2012247126.tif 000002
【特許請求の範囲】
【請求項１】
被加熱物を加熱する加熱室を備えた加熱装置で、本体制御部と表示制御部からなり、前記本体制御部は、被加熱物を加熱する加熱手段と、加熱条件などの制御パラメータを記憶しておく記憶手段と、表示制御部と通信する本体通信手段と、本体制御部全体を制御する本体制御手段とを有し、
前記表示制御部は、前記本体制御部と通信する表示通信手段と、表示制御部全体を制御する表示制御手段と、温度によってコントラストが変化する表示手段と、前記表示手段のコントラストを変更できる入力手段と、前記入力手段によって調整された前記表示手段のコントラスト設定値を記憶する表示記憶手段とを有し、
前記表示記憶手段には、前記本体記憶手段に記憶したコントラストのデフォルト設定値との差分を記憶することを特徴とする加熱装置。
【発明の詳細な説明】
【技術分野】
【０００１】
本発明は、加熱装置本体の温度変化の影響を受ける表示部を有する加熱装置に関する。
【背景技術】
【０００２】
従来の加熱装置では、ヒータや電波などの加熱源やセンサなどを制御する本体制御部と、表示制御部とを分け、相互通信によって全体を制御する構成のものがある。表示部に用いられる液晶画面は、周辺温度の影響を受けて画面のコントラストが変化する一般的性質がある。そのような液晶を有する装置では、ユーザーが操作して、液晶のコントラストを自由に変更できるのが一般的である。また、ユーザーの手間を省くため、周辺温度を検知して、液晶のコントラストを変化させる表示装置がある（例えば、特許文献１参照）。
【先行技術文献】
【特許文献】
【０００３】
【特許文献１】特開平９−２６５０７９号公報
【発明の概要】
【発明が解決しようとする課題】
【０００４】
コントラストの設定値が同じでも、実際は見た目に個々のばらつきがある場合があり、見た目を統一するために一定の条件範囲を設け、その範囲に入らないものは規格外として製品には用いないのが普通である。特にドットマトリクス方式の表示管とセグメント方式の表示管を組み合わせた構成の場合、表示方式の違いから、見た目の差が生じ易い。
【０００５】
規格外のものを使用できるようにするためには、個々に調整し見た目を規格内に合わせる必要が生じる。調整値は、ＥＥＰＲＯＭなどの記憶手段に記憶しなければならない。本体制御側には、制御用パラメータを記憶するための記憶手段が設けられていることが一般的だが、そこに、調整した設定値を記憶する構成だと、表示側単体で調整しても記憶する手段がないため、装置として組み立てられた後でないと調整できない。
【０００６】
しかしながら、生産段階で本体制御部と表示制御部とを別個に試験する場合、装置として組み立てる前に調整しないと、その液晶は規格外として使用できないという課題があった。
【０００７】
本発明は、上記課題を解決するためになされ、その目的とするところは、液晶の個体差による見た目のばらつきを表示制御側単体で調整し、無駄なく見た目の違和感をなくす方法を提供することにある。
【課題を解決するための手段】
【０００８】
上記課題を解決する本発明の加熱装置は、本体制御部と表示制御部からなり、本体制御部は、被加熱物を加熱する加熱手段と、加熱条件などの制御パラメータを記憶しておく本体記憶手段と、表示制御部と通信する通信手段と、本体制御部全体を制御する本体制御手段とを有し、表示制御部は、前記本体制御部と通信する通信手段と、表示制御部全体を制御する表示制御手段と、温度によってコントラストが変化する表示手段と、前記表示手段のコントラストを変更できる入力手段と、前記入力手段によって調整された前記表示手段のコントラスト設定値を記憶する表示記憶手段とを有し、前記本体記憶手段に、液晶のコントラストのデフォルト設定値を記憶し、前記表示記憶手段には、前記デフォルト設定値との差分を記憶することを特徴とする。
【発明の効果】
【０００９】
以上の説明から明らかなように、本発明の加熱装置によれば、表示制御側の記憶手段の有無によって、本体制御側の制御方式を変えることなく、表示制御側単体でコントラスト調整ができるようになり、これまで規格外としていた液晶も製品組み立て前に調整して使用することができる。
【図面の簡単な説明】
【００１０】
【図１】本発明の実施例１の加熱装置の外観図
【図２】同装置の詳細ブロック図
【図３】同装置の表示部を示す要部拡大図
【図４】同装置のコントラスト調整画面例を示す要部拡大図
【発明を実施するための形態】
【００１１】
第１の発明は、上記課題を解決する本発明の加熱装置は、本体制御部と表示制御部からなり、本体制御部は、被加熱物を加熱する加熱手段と、加熱条件などの制御パラメータを記憶しておく本体記憶手段と、表示制御部と通信する本体通信手段と、本体制御部全体を制御する本体制御手段とを有し、表示制御部は、前記本体制御部と通信する表示通信手段と、表示制御部全体を制御する表示制御手段と、温度によってコントラストが変化する表示手段と、前記表示手段のコントラストを変更できる入力手段と、前記入力手段によって調整された前記表示手段のコントラスト設定値を記憶する表示記憶手段とを有し、前記本体記憶手段に、液晶のコントラストのデフォルト設定値を記憶し、前記表示記憶手段には、前記デフォルト設定値との差分を記憶することを特徴とする。
【００１２】
この構成によれば、加熱装置の表示部に用いられる液晶の個体差による見た目のばらつきを調整し、無駄なく見た目の違和感をなくすことができる。
【００１３】
以下、本発明の実施の形態について、図面を参照しながら説明する。なお、本実施の形態によって本発明が限定されるものではない。
【００１４】
（実施の形態１）
図１は本発明の実施の形態１にかかる加熱装置の外観図、図２は本発明の加熱装置の詳細ブロック図である。
【００１５】
図１、図２において、この加熱装置本体は被加熱物を収納する加熱室２と、加熱室２内の被加熱物を加熱する加熱手段４３とを有する。加熱手段４３には、高周波やヒータによるものがあり、その両方を備えていてもよい。本体制御部４は加熱手段４３を含む加熱室２に組み込まれており、加熱手段４３は制御手段４１によって制御されるものとする。また、加熱装置の調整値や制御パラメータが記憶手段４４（本体記憶手段）に記憶されており、制御手段４１（本体制御手段）は、記憶手段４４から設定値を読み出して使用したり、変更された設定値を記憶手段４４に書き込んだりすることができる。
【００１６】
次に、本体前面には開閉可能なドア１が設けられ、ドア１に表示制御部３が組み込まれている。その表示制御部にはドア前面に設けられた液晶などの表示手段３２と、使用者が調理メニューの選択、調理時間の入力、調理スタートなどの操作を行うための入力手段３３が含まれる。入力手段３３は回転や押下によって、表示制御部３の制御手段３１（表示制御手段）に入力を行うものとする。
【００１７】
また、入力手段３３によって操作された情報は、通信手段３４（表示通信手段）と通信手段４２（本体通信手段）によって、本体制御部４の制御手段４１に送られる。制御手段４１は選択された調理メニューや加熱時間など本体制御に関する情報を、通信手段４２と
通信手段３４によって表示制御部３に送信し、制御手段３１が受信した情報を表示手段３２に表示する。このように、本体制御部４と表示制御部３が別個に制御手段を持ち、各々の通信手段を使って相互に情報交換することによって、装置を動作させる構成となっている。
【００１８】
図３は、本発明の加熱装置の表示手段３２の要部拡大図である。表示手段３２は調理についての必要な情報や時刻情報などを表示するためのものである。ここでは、ドットマトリクス方式の液晶とセグメント方式の液晶を組み合わせた構成としているが、ドットマトリクス方式のみを用いた構成としても良い。文字や図を表示したいドットやセグメントに駆動電圧を印加し、背景部分との間に濃淡差を生じるようになっている。加熱調理が行われたとき、本体の温度上昇の影響を受け液晶表示手段の温度も上昇するが、その温度上昇に応じて液晶表示手段のコントラストは濃くなって、表示視認性が悪化する可能性がある。そのため、使用者が好みのコントラストに自由に変更できるモードを設ける。
【００１９】
図４はコントラスト調整画面の一例を示した要部拡大図である。コントラストのデフォルト設定値は、あらかじめ本体制御部４の記憶手段４４に記憶されており、制御手段４１が記憶手段４４から読み出して、通信手段４２により表示制御部３に送り、液晶のコントラストが制御される。記憶手段４４にあらかじめ記憶されているコントラスト値の画面が図４（ａ）として、入力手段３３によってコントラストを大きくする方向に操作すると、画面表示が濃くなり（図４（ｂ））、逆にコントラストを小さくする方向に操作すると、画面表示が薄くなる（図４（ｃ））。図４において、画面にコントラスト設定値の数値を表示しても良い。好みのコントラストに調整できたら、入力手段３３により決定操作を行うと、新しい設定値が本体制御部の記憶手段４４に記憶され、それ以降は記憶された設定値で液晶のコントラストが制御される。
【００２０】
コントラストの設定値が同じでも、実際の見た目には個々にばらつきがある場合がある。特に、ドットマトリクス方式の液晶とセグメント方式の液晶を組み合わせた構成の場合は、個々のばらつきだけでなく、表示方式の違いによる見た目の差が生じるため、全体のばらつきは多くなる。生産工程において、表示制御部３をドア１に組み込み、本体制御部４を有する本体と、表示制御部３を有するドア１が組み立てられて装置が完成する。組み立てられた後に本体制御部４と表示制御部３の通信が可能になるので、組立前に液晶の調整を行うために、表示制御部３にも記憶手段３５（表示記憶手段）を設けて、表示制御部３単体でのコントラスト調整モードを設ける。
【００２１】
表示制御部単体でのコントラスト調整の方法は、図４で説明した方法と同様である。ただし、調整値として本体制御部４の記憶手段４４に記憶されているデフォルト設定値との差分を、表示制御部３の記憶手段３５に記憶するようにする。調整後、表示制御部３の制御手段３１は記憶手段３５から調整値を読み出し、通信手段３４によって本体制御部４に送信する。本体制御部４の制御手段４１は記憶手段４４から読み出したデフォルト設定値に、表示制御部３から受信した調整値を加算（マイナスの場合は減算）し、その値で液晶のコントラストを制御する。記憶手段３５がないときは差分情報が０になるようにしておけば、表示制御部単体でのコントラスト調整が可能になる上に、ばらつきが小さく表示制御部側での調整が不要と判断された場合でも、記憶手段３５をはずすだけで良いので、柔軟に対応できる。
【産業上の利用可能性】
【００２２】
以上のように、本発明にかかる加熱装置は、これまで規格外としていた液晶も製品組み立て前に調整して使用することができる。
【符号の説明】
【００２３】
１  ドア
２  加熱室
３  表示制御部
４  本体制御部
３１  制御手段（表示制御手段）
３２  表示手段
３３  入力手段
３４  通信手段（表示通信手段）
３５  記憶手段（表示記憶手段）
４１  制御手段（本体制御手段）
４２  通信手段（本体通信手段）
４３  加熱手段
４４  記憶手段（本体記憶手段）
【図２】
2012247126.tif 000003
【図１】
2012247126.tif 000004
【図３】
2012247126.tif 000005
【図４】
2012247126.tif 000006